(57)【要約】【課題】スタンド型看板装置による広告・宣伝機能を大幅に向上させることを可能とする。【解決手段】本体支持枠３の内部に配置された情報再生手段（プレーヤ）６から供給される店内の動画や音声からなる映像情報および音声情報を、広告表示部に配置した画像表示手段（テレビモニタ）７および音声出力手段（スピーカ）４によって再生して広告・宣伝を行うことにより、従来のような無音静止画像に比して商品や商店のアピール性を大幅に向上させる構成としたもの。【選択図】        図１
0003125731.tif 000002
【実用新案登録請求の範囲】
【請求項１】
本体支持枠に広告表示部が設けられたスタンド型看板装置において、
前記広告表示部に、電気的な画像表示手段および音声出力手段が取り付けられているとともに、
前記本体支持枠の内部に、前記画像表示手段および音声出力手段に所望の映像情報および音声情報を供給する情報再生手段が設置されていることを特徴とするスタンド型看板装置。
【請求項２】
前記画像表示手段が、テレビモニタを備えているとともに、
前記音声出力手段が、前記画像表示手段と一体または別体にて設けられたスピーカを有し、
前記情報再生手段が、情報記録媒体の記録情報を読み取るプレーヤ手段を有していることを特徴とする請求項１記載のスタンド型看板装置。
【請求項３】
前記本体支持枠が、前記画像表示手段、前記音声出力手段および前記情報再生手段を、盗難防止可能となるように略密閉した状態に取り囲む構成になされていることを特徴とする請求項１記載のスタンド型看板装置。
【請求項４】
前記本体支持枠には、前記画像表示手段の上部から略水平に突き出すように配置された庇部が設けられていることを特徴とする請求項１記載のスタンド型看板装置。
【考案の詳細な説明】
【技術分野】
【０００１】
本考案は、本体支持枠に広告表示部が設けられたスタンド型看板装置に関する。
【背景技術】
【０００２】
一般に、広告・看板（サイン）の分野において使用されているスタンド型看板装置は、所望の場所に立設させた状態に置かれる本体支持枠の一部または全面に、文字や図形などが描かれた広告表示部を備えたものである（例えば下記の特許文献１参照）。スタンド型看板装置は、他の大規模看板装置のような大掛かりな設置工事が不要であり、室内外の種々の場所に移動させて簡易に設置することができるという利点がある。
【０００３】
しかしながら、従来から用いられているスタンド型看板装置では、広告すべき内容を表した文字・図形等からなる広告・宣伝情報が、本体支持枠に設けられた広告表示部に印刷や貼り付けなどによる無音の静止画像として表示されているに過ぎず、上述したように簡易性に優れる利点はあるものの、広告・宣伝機能、つまり商品や商店のアピール性にやや劣る傾向がある。
【０００４】
【特許文献１】特開平８−２６３００２号公報
【考案の開示】
【考案が解決しようとする課題】
【０００５】
そこで本考案は、広告・宣伝機能を大幅に向上させることができるようにしたスタンド型看板装置を提供することを目的とする。
【課題を解決するための手段】
【０００６】
上記目的を達成するため、本考案にかかるスタンド型看板装置では、本体支持枠に広告表示部が設けられたスタンド型看板装置において、前記広告表示部に、電気的な画像表示手段および音声出力手段が取り付けられているとともに、前記本体支持枠の内部に、前記画像表示手段および音声出力手段に所望の映像情報および音声情報を供給する情報再生手段が設置されている。
【０００７】
このような構成を有する本考案にかかるスタンド型看板装置によれば、本体支持枠の内部に配置された情報再生手段から、例えば店内を写した動画や音声などからなる映像情報および音声情報が、広告表示部に配置された画像表示手段および音声出力手段に供給されて外部に向けて再生されることにより広告・宣伝が行われるため、従来のような無音で静止の画像が提供される場合に比して、商品や商店のアピール性が大幅に向上されるようになっている。
【考案の効果】
【０００８】
以上のように本考案にかかるスタンド型看板装置は、本体支持枠の内部に配置された情報再生手段から供給される店内の動画や音声からなる映像情報および音声情報を、広告表示部に配置した画像表示手段および音声出力手段によって再生して広告・宣伝を行うようにしたことにより、従来のような無音静止画像に比して商品や商店のアピール性を大幅に向上させる構成としたものであるから、スタンド型看板装置による広告・宣伝機能を大幅に向上させることができ、機能性および有用性を飛躍的に高めることができる。
【考案を実施するための最良の形態】
【０００９】
以下、本考案の実施の形態を図面に基づいて説明する。
図１ないし図３に示されている本考案の一実施形態にかかるスタンド型看板装置においては、平板状をなすように形成された基台１の下面側に、複数のキャスター２が取り付けられているとともに、前記基台１の上面側には、縦長の中空箱状をなすように構成された本体支持枠３が立設されている。
【００１０】
前記基台１の背面側（図３参照）には、防犯ロック部材１ａが設けられており、その防犯ロック部材１ａを介して近傍の不動固定部材に基台１が連結されることによって、装置全体が設置場所から持ち去られるなどの犯罪が防止されるようになっている。
【００１１】
上述した中空箱状の本体支持枠３は、下段枠３ａ、中段枠３ｂおよび上段枠３ｃを高さ方向に積層配置した三段構成を有していて、それら三段の支持枠を重ね合わせたときの全高が１，５００ｍｍ〜１，７００ｍｍとなるように設定されている。この本体支持枠３の正面側（図１参照）の表面は、外部側に向けられるように配置された広告表示部になされている。
【００１２】
そして、このような本体支持枠３を構成する各段の支持枠のうち、下段枠３ａは、上述した全高の約半分程度の高さを備えた中空枠体から構成されており、当該下段枠３ａの正面側（図１参照）、つまり広告表示部における上端側部分には、電気的な音声出力手段を構成する一対のステレオスピーカ４，４が、略水平方向に適宜の間隔をなすように取り付けられている。また、この下段枠３ａの側面（図２参照）には、図示を省略した配線コードを掛けて保持する鍵状のコードフック５が適宜の高さ位置において外方に突出するように設けられている。
【００１３】
また、上述した中段枠３ｂは、比較的低層な中空枠体から構成されており、当該中段枠３ｂの内部には、ＤＶＤプレーヤやビデオテーププレーヤ等のメディア情報再生手段（プレーヤ）６が設置されている。このメディア情報再生手段６には、所望の広告からなる電気的な動画映像情報や音声情報が記録された適宜の記録メディアが装着されており、その記録メディアの再生が行われることによって所望の映像情報および音声情報が、後述する画像表示手段としてのテレビモニタ７および上述した音声出力手段としてのステレオスピーカ４に供給されるようになっている。
【００１４】
さらに、上記中段枠３ｂの正面側（図１参照）には、通信操作孔３ｂ１が内部側まで貫通するように形成されており、その通信操作孔３ｂ１を通して外部から送られるリモコン信号が、上述したメディア情報再生手段（プレーヤ）６側に受信される配置関係になされている。
【００１５】
一方、上述した上段枠３ｃは、本体支持枠３の最上段に配置された中空枠体から構成されており、当該上段枠３ｃの内部には電気的な画像表示手段としてのテレビモニタ７が収納されている。この上段枠３ｃは、内部のテレビモニタ７を容易に持ち去ることができない程度に密閉した防犯可能な構造になされている。本実施形態における前記テレビモニタ７としては、２０型程度の大きさの薄型液晶テレビが採用されているが、そのテレビモニタ７は、前記本体支持枠３の広告表示部である正面側（図１参照）に向けて配置されており、当該テレビモニタ７の外周面に沿って上段枠３ｃが密着した状態で取り囲むように構成されている。
【００１６】
また、前記上段枠３ｃの前面部分には、上述したテレビモニタ７の前面部全体を覆うようにして透明板からなる保護板３ｃ１が密閉状に取り付けられており、屋外で使用する場合などにおいてテレビモニタ７に対して雨水が直接的に被着することが防止される構成になされている。同様に、前記上段枠３ｃの上端部分には、テレビモニタ７の上縁部から前方に突き出すようにして庇部３ｃ２が取り付けられていて、特に屋外で使用する場合に雨水や日光が前記テレビモニタ７に対して直接的に被着または照射されることが防止されるようになっている。
【００１７】
さらに、上述した上段枠３ｃの背面側（図３参照）における上方位置には、細長状の廃熱口３ｃ３が多段状に開口するように設けられており、その上段枠３ｃを含む本体支持枠３全体の内部空間に蓄えられた熱が廃熱口３ｃ３を通して外部側に排気されるようになっている。さらにまた、前記上段枠３ｃと中段枠３ｂとの連結部分における背面側（図３参照）には防犯ロック部材３ｃ４が設けられており、その防犯ロック部材３ｃ４を介して近傍の不動固定部材に本体支持枠３が連結されることによって、装置全体が設置場所から持ち去られるなどの犯罪が防止されるようになっている。
【００１８】
さらにまた、上述した本体支持枠３のいずれかの部位には、図示を省略した電源スイッチが設けられており、その電源スイッチを手操作することによって上述したメディア情報再生手段（プレーヤ）６および画像表示手段としてのテレビモニタ７の電源がオン・オフされるようになっている。
【００１９】
このような構成を有する本実施形態にかかるスタンド型看板装置によれば、本体支持枠３の内部に配置された情報再生手段としてのメディア情報再生手段（プレーヤ）６において再生されることによって、例えば店内の様子を写した動画情報等の映像情報および音声情報が、前面側の広告表示部に配置されたテレビモニタ（画像表示手段）７およびステレオスピーカ（音声出力手段）４に供給されて外部に向けて再生される。そして、このようなテレビモニタ７およびステレオスピーカ４を使用した動画や音声の再生情報によって広告・宣伝を行えば、従来のような無音で静止の画像が提供される場合に比して商品や商店のアピール性は大幅に向上される。
【００２０】
以上、本考案者によってなされた考案を実施形態に基づいて具体的に説明したが、本考案は上記実施形態に限定されるものではなく、その要旨を逸脱しない範囲で種々変形可能であるというのは言うまでもない。
【００２１】
例えば、上述した実施形態では、画像表示手段としてのテレビモニタと、音声出力手段としてのステレオスピーカとが別体となるような構成になされているが、当然、両者を一体に構成することも可能である。また、これらのいずれか一方を設けるように構成することも可能である。
【産業上の利用可能性】
【００２２】
本考案は、多種多様な構造を備えたスタンド型看板装置に対して広く採用することが可能である。
【図面の簡単な説明】
【００２３】
【図１】本考案の一実施形態におけるスタンド型看板装置の構造を表した正面説明図である。
【図２】図１に表されたスタンド型看板装置の側面説明図である。
【図３】図１に表されたスタンド型看板装置の背面説明図である。
【符号の説明】
【００２４】
１  基台
１ａ  防犯ロック部材
２  キャスター
３  本体支持枠
４  ステレオスピーカ（音声出力手段）
５  コードフック
６  メディア情報再生手段（プレーヤ）
７  テレビモニタ（画像表示手段）
３ａ  下段枠
３ｂ  中段枠
３ｃ  上段枠
３ｂ１  通信操作孔
３ｃ１  保護板（透明板）
３ｃ２  庇部
３ｃ３  廃熱口
３ｃ４  防犯ロック部材
【図１】
0003125731.tif 000003
【図２】
0003125731.tif 000004
【図３】
0003125731.tif 000005